(57)【要約】      （修正有）【課題】ディスプレイ部のタッチ機能付きの第２筐体を開いて、ディスプレイ部をタッチ操作した際に、ディスプレイ部が振動してしまうのを極力防止した制振手段付きのヒンジ装置を提供する。【解決手段】第１取付プレート１１を介して第２筐体へ取り付けられる第１ヒンジシャフト１０と、第２取付プレート１３を介して第１筐体へ取り付けられる第２ヒンジシャフト１２とを、複数の連結部材を介して互いに平行状態で回転可能となるように成すと共に、第１ヒンジシャフトと第２ヒンジシャフトの回転を制御する回転制御手段を前記連結部材に関連して設けたものにおいて、第１取付プレートと第２筐体の間及び又は第１取付プレートと第１ヒンジシャフトの取付軸部１０ａとの間及び又は第１取付プレートを第１ヒンジシャフトの取付軸部へ取り付ける取付ピン１０ｇと取付軸部の間に介在させた弾性部材から成る第１制振手段を設けた。【選択図】図４
2015203424.tif 000002
【特許請求の範囲】
【請求項１】
情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記第１ヒンジシャフトの前記取付軸部へ取り付ける取付ピンと当該取付軸部の間に介在させた弾性部材から成る第１制振手段を設けたことを特徴とする、ヒンジ装置。
【請求項２】
情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第２取付プレートと前記第１筐体の間及び又は前記第２取付プレートと前記第２ヒンジシャフトの取付軸部との間及び又は前記第２取付プレートを前記第２ヒンジシャフトの前記取付軸部へ取り付ける取付ピンと当該取付軸部の間に介在させた弾性部材から成る第２制振手段を設けたことを特徴とする、ヒンジ装置。
【請求項３】
情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記第１ヒンジシャフトの前記取付軸部へ取り付ける取付ピンと当該取付軸部の間に介在させた弾性部材から成る第１制振手段と、前記第２取付プレートと前記第１筐体の間及び又は前記第２取付プレートと前記第２ヒンジシャフトの取付軸部との間及び又は前記第２取付プレートを前記第２ヒンジシャフトの前記取付軸部へ取付ける取付ピンと当該取付軸部の間に弾性部材から成る第２制振手段とを設けたことを特徴とする、ヒンジ装置。
【請求項４】
前記第１制振手段は、前記第１ヒンジシャフトの前記取付軸部と前記第１取付プレートとの間に設けられた帯状の弾性部材から成る第１Ａ制振部材と、この第１Ａ制振部材を介して前記第１取付プレートを前記取付軸部に取り付ける前記取付ピンと当該取付軸部との間に介在させた弾性部材から成るワッシャー形状の第１Ｂ制振部材と、前記第１取付プレートを前記第２筐体へ取り付ける際に、当該第１取付プレートと当該第２筐体の間に介在させた弾性部材から成る変形プレート状の第１Ｃ制振部材とで構成されていることを特徴とする、請求項１と３の何れか１項に記載のヒンジ装置。
【請求項５】
前記第２制振手段は、前記第２ヒンジシャフトの前記取付軸部と前記第２取付プレートとの間に設けられた帯状の弾性部材から成る第２Ａ制振部材と、この第２Ａ制振部材を介して前記第２取付プレートを前記第２ヒンジシャフトの前記取付軸部に取り付ける前記取付ピンと当該取付軸部との間に介在させた弾性部材から成るワッシャー形状の第２Ｂ制振部材と、前記第２取付プレートを前記第１筐体へ取り付ける際に、当該第２取付プレートと当該第１筐体の間に介在させた弾性部材から成る矩形プレート状の第２Ｃ制振部材とで構成されていることを特徴とする、請求項２と３の何れか１項に記載のヒンジ装置。
【請求項６】
情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記取付軸部へ取り付ける取付ピンと当該取付軸部の間に介在させた弾性部材から成る第１制振手段と、前記第２取付プレートと前記第１筐体の間及び又は前記第２取付プレートと前記第２ヒンジシャフトの前記取付軸部との間及び又は前記第２取付プレートを前記第２ヒンジシャフトの前記取付軸部へ取付ける取付ピンと当該取付軸部の間に弾性部材から成る第２制振手段を設けると共に、前記回転制御手段を、前記第１ヒンジシャフトと前記第２ヒンジシャフトの回転を選択的に規制する選択的回転規制手段と、この選択的回転規制手段のいずれか一方の側に設けた前記第１ヒンジシャフトと前記第２ヒンジシャフトのフリクショントルク発生手段と、前記選択的回転規制手段のいずれか他方の側に設けた前記第１ヒンジシャフトと前記第２ヒンジシャフトの吸い込み手段と、前記第１ヒンジシャフトと前記第２ヒンジシャフトの間に当該第１ヒンジシャフトと当該第２ヒンジシャフトの回転角度を規制するために設けたストッパー手段と、で構成したことを特徴とする、ヒンジ装置。
【請求項７】
前記請求項１〜６に各記載のヒンジ装置を用いたことを特徴とする、情報端末。
【発明の詳細な説明】
【技術分野】
【０００１】
本発明は、キーボード部を有する第１筐体と、ディスプレイ部を有する第２筐体とを開閉可能に連結するものであって、ディスプレイ部が同時にタッチ操作機能を有する例えばノートパソコンやモニターなどの情報端末に用いて好適なヒンジ装置並びにこのヒンジ装置を用いた情報端末に関する。
【背景技術】
【０００２】
近年、ノートパソコンやモニターなどの情報端末において、キーボード部を設けた第１筐体と、ディスプレイ部を設けた第２筐体とを、ヒンジ装置を介して相対的に開閉できるように成したものにおいては、通常のキー操作により操作できる機能に加えて、ディスプレイ部に直接指でタッチして操作するタッチ機能付きのものが多く出回っている。
【０００３】
このような情報端末のヒンジ装置として、下記特許文献１に記載されたヒンジ装置が公知である。この特許文献１に記載されたヒンジ装置は、２軸ヒンジ装置と称され、第１筐体へ取り付けられる第１ヒンジシャフトと、第２筐体に取り付けられる第２ヒンジシャフトとを、複数の連結部材によって互いに平行状態で回転できるように連結した上で、前記第１ヒンジシャフトと第２ヒンジシャフト及び各連結部材に関連して設けた回転制御手段によって、第１ヒンジシャフトと第２ヒンジシャフトを交互に回転可能とし、第１筐体と第２筐体を交互に開閉可能とするものであり、第１ヒンジシャフトは第１取付プレートを介して第１筐体へ取り付けられ、第２ヒンジシャフトは第２取付プレートを介して第２筐体へ取り付けられる構成であった。
【先行技術文献】
【特許文献】
【０００４】
【特許文献１】特開２０１３−２４９８５５号公報
【発明の概要】
【発明が解決しようとする課題】
【０００５】
しかるに、このような構成のヒンジ装置であると、第１筐体と第２筐体を開いて第２筐体のディスプレイ部を指でタッチ操作した際に、ディスプレイ部が振動することから、画面が視認しにくい上に、操作者にそのことによる疲労感を与えるといった問題が生じた。
【０００６】
本発明は係る問題点を解決するために開発されたもので、その目的とするところは、とくに２軸ヒンジ装置と称されるヒンジ装置において、キーボード部を有する第１筐体とディスプレイ部を有し当該ディスプレイ部のタッチ機能付きの第２筐体とを開いて、第２筐体に設けられたディスプレイ部をタッチ操作した際に、第２筐体のディスプレイ部が振動してしまうのを極力防止した制振手段付きのヒンジ装置を提供せんとするにある。
【課題を解決するための手段】
【０００７】
上記課題を解決するために本願請求項１発明は、情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記第１ヒンジシャフトの前記取付軸部へ取り付ける取付ピンと当該取付軸部の間に介在させた弾性部材から成る第１制振手段を設けたことを特徴とする。
【０００８】
本願請求項２発明は、情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第２取付プレートと前記第１筐体の間及び又は前記第２取付プレートと前記第２ヒンジシャフトの取付軸部との間及び又は前記第２取付プレートを前記第２ヒンジシャフトの前記取付軸部へ取り付ける取付ピンと当該取付軸部の間に介在させた弾性部材から成る第２制振手段を設けたことを特徴とする。
【０００９】
本願請求項３発明は、情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記第１ヒンジシャフトの前記取付軸部へ取り付ける取付ピンと当該取付軸部の間に介在させた弾性部材から成る第１制振手段と、前記第２取付プレートと前記第１筐体の間及び又は前記第２取付プレートと前記第２ヒンジシャフトの前記取付軸部との間及び又は前記第２取付プレートを前記第２ヒンジシャフトの前記取付軸部へ取付ける取付ピンと当該取付軸部の間に弾性部材から成る第２制振手段を設けたことを特徴とする。
【００１０】
本願請求項４発明は、前記第１制振手段は、前記第１ヒンジシャフトの前記取付軸部と前記第１取付プレートとの間に設けられた帯状の弾性部材から成る第１Ａ制振部材と、この第１Ａ制振部材を介して前記第１取付プレートを前記取付軸部に取り付ける前記取付ピンと前記取付軸部との間に介在された弾性部材から成るワッシャー形状の第１Ｂ制振部材と、前記第１取付プレートを前記第２筐体へ取り付ける際に、当該第１取付プレートと当該第２筐体の間に介在された弾性部材から成る変形プレート状の第１Ｃ制振部材とで構成されていることを特徴とする。
【００１１】
本願請求項５発明は、前記第２制振手段は、前記第２ヒンジシャフトの前記取付軸部と前記第２取付プレートとの間に設けられた帯状の弾性部材から成る第２Ａ制振部材と、この第２Ａ制振部材を介して前記第２取付プレートを前記第２ヒンジシャフトの前記取付軸部に取り付ける前記取付ピンと当該取付軸部との間に介在された弾性部材から成るワッシャー形状の第２Ｂ制振部材と、前記第２取付プレートを前記第１筐体へ取り付ける際に、当該第２取付プレートと当該第１筐体の間に介在された弾性部材から成る矩形プレート状の第２Ｃ制振部材とで構成されていることを特徴とする。
【００１２】
本願請求項６発明は、情報端末の第１筐体と第２筐体を互いに開閉可能に連結するヒンジ装置であって、第１取付プレートを介して第２筐体へ取り付けられる第１ヒンジシャフトと、第２取付プレートを介して第１筐体へ取り付けられる第２ヒンジシャフトとを、複数の連結部材を介して互いに平行状態で回転可能となるように成すと共に、前記第１ヒンジシャフトと前記第２ヒンジシャフトの回転を制御する回転制御手段を前記連結部材に関連して設けたものにおいて、前記第１取付プレートと前記第２筐体の間及び又は前記第１取付プレートと前記第１ヒンジシャフトの取付軸部との間及び又は前記第１取付プレートを前記取付軸部へ取り付ける取付ピンと当該取付軸部の間に介在させた弾性部材から成る第１制振手段と、前記第２取付プレートと前記第１筐体の間及び又は前記第２取付プレートと前記第２ヒンジシャフトの取付軸部との間及び又は前記第２取付プレートを前記第２ヒンジシャフトの前記取付軸部へ取付ける取付ピンと当該取付軸部の間に弾性部材から成る第２制振手段を設けると共に、前記回転制御手段を前記第１ヒンジシャフトと前記第２ヒンジシャフトの回転を選択的に規制する選択的回転規制手段と、この選択的回転規制手段のいずれか一方の側に設けた前記第１ヒンジシャフトと前記第２ヒンジシャフトのフリクショントルク発生手段と、前記選択的回転規制手段のいずれか他方の側に設けた前記第１ヒンジシャフトと前記第２ヒンジシャフトの吸い込み手段と、前記第１ヒンジシャフトと前記第２ヒンジシャフトの間に当該第１ヒンジシャフトと当該第２ヒンジシャフトの回転角度を規制するために設けたストッパー手段と、で構成したことを特徴とする。
【００１３】
そして、本願請求項７発明は、上記各ヒンジ装置を用いたことを特徴とする情報端末である。
【発明の効果】
【００１４】
本発明は以上のように構成したので、請求項１乃至５発明によれば、制振手段を第１ヒンジシャフトの側或は第２ヒンジシャフトの側に設けた場合には、ディスプレイ部を手指でタッチ操作した際に、当該ディスプレイ部が振動して画面が視認しにくくなるのを有効に防止でき、制振手段を第１ヒンジシャフトと第２ヒンジシャフトの双方に設けた場合にはより一層ディスプレイ部の振動を防止することができるものである。
【００１５】
請求項６発明のように構成した場合には、ディスプレイ部のタッチ操作時の振動を防止できた上で、選択的回転規制手段とストッパー手段によって、第１筐体と第２筐体が共に閉成状態の時と、共に全開状態の時には、第１ヒンジシャフトと第２ヒンジシャフトをそれぞれ取り付けた第１筐体と第２筐体のどちらの開閉操作をも可能とするが、第１筐体と第２筐体のどちらか一方の開閉操作を行うと、第１ヒンジシャフトと第２ヒンジシャフトのいずれか一方の回転が規制され、第１筐体と第２筐体のどちらか他方の開閉操作が規制されることによって、第１筐体と第２筐体を合計で３６０度に渡って開閉することができるものである。その際に、第１ヒンジシャフトと第２ヒンジシャフトの回転は、フリクショントルク発生手段によって、第１ヒンジシャフトと第２ヒンジシャフトの回転時にフリクショントルクが発生するので、第１筐体と第２筐体のそれぞれの開閉操作時に、任意の開閉角度において安定的に停止保持させることができるものである。また、吸い込み手段によって、第１筐体と第２筐体はその全開成時と全閉成時において、その直前に第１筐体と第２筐体が吸い込まれるように閉じられ、開成位置と閉成位置で安定的に停止保持されるものである。
【００１６】
そして、請求項７のように構成すると、第１筐体と第２筐体が１８０度ずつ合計で最大３６０度開閉できる情報端末を提供できるものである。
【図面の簡単な説明】
【００１７】
【図１】本発明に係るヒンジ装置を取り付けた、例えばノートパソコンを示し、(ａ)は第２筐体を第１筐体に対して開いた状態を前方から見た斜視図であり、（ｂ）は第１筐体と第２筐体を閉じた状態を後方から見た斜視図である。
【図２】本発明に係るヒンジ装置をノートパソコンの第１筐体と第２筐体へ取り付けた状態を説明する説明図である。
【図３】本発明に係るヒンジ装置をヒンジケースに収納させて見た斜視図である。
【図４】本発明に係るヒンジ装置の制振手段の部分の分解斜視図である。
【図５】本発明に係るヒンジ装置の制振手段の部分を省略した分解斜視図である。
【図６】本発明に係るヒンジ装置のヒンジケースを示し、（ａ）はその側面図、（ｂ）は（ａ）のＡ−Ａ線断面図である。
【図７】本発明に係るヒンジ装置の連結部材を示し、（ａ）はその一側面図、（ｂ）はその斜視図である。
【図８】本発明に係るヒンジ装置のスライドガイド部材を示し、（ａ）はその一側面図、（ｂ）はその斜視図である。
【図９】本発明に係るヒンジ装置のロック部材を示し、（ａ）はその一側面図、（ｂ）はその斜視図である。
【図１０】本発明に係るヒンジ装置の上側の第１ロックカム部材を示し、（ａ）はその側面図、（ｂ）はその斜視図である。
【図１１】本発明に係るヒンジ装置の下側の第２ロックカム部材を示し、（ａ）はその側面図、（ｂ）はその斜視図である。
【図１２】本発明に係るヒンジ装置のフリクションプレートを示す斜視図である。
【図１３】本発明に係るヒンジ装置の上側の第１カムフォロワーを示し、（ａ）はその側面図、（ｂ）はその斜視図である。
【図１４】本発明に係るヒンジ装置の下側の第２カムフォロワーを示し、（ａ）はその側面図、（ｂ）はその斜視図である。
【図１５】本発明に係るヒンジ装置の動作を説明する説明図であり、第１筐体と第２筐体の閉成状態における選択的回転規制手段の状態を示している。
【図１６】本発明に係るヒンジ装置の選択的回転規制手段の動作を説明するための説明図であり、第２筐体を第１筐体に対して時計方向へ１８０度開いた状態を示している。
【図１７】本発明に係るヒンジ装置の選択的回転規制手段の動作を説明するための説明図であり、第１筐体を図１６に示した状態から第２筐体とは反時計方向へ１８０度開いた状態を示している。
【発明を実施するための形態】
【００１８】
以下に本発明係るヒンジ装置をノートパソコンに用いた場合の実施例について図面に基づいて説明するが、本発明に係るヒンジ装置を用いるものはノートパソコンに限定されず、互いに上下方向へ１８０度以上の範囲で開閉可能に連結される第１筐体と第２筐体を有するモバイルパソコン、ＰＤＡ等の情報端末、その他のものにも用いることができるものである。
【実施例１】
【００１９】
図１（ａ）、（ｂ）は、本発明に係るヒンジ装置を用いた情報端末の一例としてのノートパソコン１を示す。このノートパソコン１は、キーボード部２ａを設けた第１筐体２と、ディスプレイ部３ａを設けた第２筐体３の各後部の左右個所を本発明に係る一対のヒンジ装置４と５で開閉可能に連結されている。
【００２０】
ヒンジ装置４と５の構成は、両者共に同じであるので、その一方の指示記号４のもののみを説明し、他方の指示記号５で示したものの説明は省略する。勿論、動作に支障がない場合には、指示記号５で示したヒンジの構造を別なものとしても良い。尚、本発明においてヒンジ装置４或は５の選択的回転規制手段、フリクショントルク発生手段、ストッパー手段、吸い込み手段等の構成は一例であり、以下に説明するものに限定されない。
【００２１】
図２〜図１４は、ヒンジ装置４の一実施例を示す。図面において、指示記号１０で示したものは、第１ヒンジシャフトであり、この第１ヒンジシャフト１０は、とくに図５に示したように、その一端部側から断面略台形状を呈し取付孔１０ｂ、１０ｂを有する取付軸部１０ａと、この取付軸部１０ａに続いて設けられたところの外周に係合凹部１０ｃを有するフランジ部１０ｄと、このフランジ部１０ｄに続いて設けられたところの断面略楕円形状を呈した第１変形軸部１０ｅと、この第１変形軸部１０ｅに続いて設けられたところの当該第１変形軸部１０ｅよりも小径の同じく断面略楕円形状を呈して成る第２変形軸部１０ｆとを有している。
【００２２】
取付軸部１０ａには、第１取付プレート１１が取り付けられており、この第１取付プレート１１の取付軸部１０ａへの取付方法は、第１ヒンジシャフト１０の取付孔１０ｂ、１０ｂと第１取付プレート１１の取付孔１１ａ、１１ａを通したフランジ部付の取付ピン１０ｇ、１０ｇ・・の端部をかしめることによってなされている。そして、第１取付プレート１１は、当該第１取付プレート１１に設けた取付孔１１ｂ、１１ｂ・・を介して、とくに図２に示したように、取付ネジ３ｃ、３ｃ、３ｃを用いて第２筐体３へ取り付けられる構成である。
【００２３】
次に、指示記号１２で示したものは、第１ヒンジシャフト１０に対して上下方向へ平行に配置した第２ヒンジシャフトであり、この第２ヒンジシャフト１２は、とくに図５に示したように、その一端部側から、断面略台形状を呈し、取付孔１２ｂ、１２ｂを有する取付軸部１２ａと、この取付軸部１２ａに続いて設けられたところの外周に係合凹部１２ｃを有するフランジ部１２ｄと、このフランジ部１２ｄに続いて設けられたところの断面略楕円形状を呈した第１変形軸部１２ｅと、この第１変形軸部１２ｅに続いて設けられたところの第１変形軸部１２ｅよりも小径の同じく断面略楕円形状を呈して成る第２変形軸部１２ｆとを有している。
【００２４】
取付軸部１２ａには、第２取付プレート１３が取り付けられており、この第２取付プレート１３の取付軸部１２ａへの取付方法は、第２ヒンジシャフト１２の取付孔１２ｂ、１２ｂと第２取付プレート１３の取付孔１３ａ、１３ａを通したフランジ部付の取付ピン１２ｇ、１２ｇの端部をかしめることによってなされている。そして、第２取付プレート１３は、当該第２取付プレート１３に設けた取付孔１３ｂ、１３ｂ・・を介して、とくに図２に示したように、取付ネジ４ｃ、４ｃ・・を用いて第２筐体３へ取り付けられる構成である。第１取付プレート１１と第２取付プレート１３を第１筐体２と第２筐体３へ取り付けることにより、第１ヒンジシャフト１０と第２ヒンジシャフト１２は、その軸方向に対して垂直にかつ平行に配置される構成である。
【００２５】
指示記号１４で示したものがヒンジケースであり、このヒンジケース１４の中に第１ヒンジシャフト１０と第２ヒンジシャフト１２の各フランジ部１０ｄ、１２ｄから先の部分が取付軸部１０ａ、１２ａの部分を残して収容されている。
【００２６】
ヒンジケース１４は、とくに図２乃至図６に示したように、断面長孔形状を示した筒状のものであり、その内部に第１ヒンジシャフト１０と第２ヒンジシャフト１２に装備した後述する選択的回転規制手段１５、フリクショントルク発生手段１６、吸い込み手段１７及びストッパー手段１９が収容され、とくに図６に示したように、ヒンジケース１４内に設けた雌ネジ部１４ｂを設けた隔壁１４ａに選択的回転規制手段１５の連結部材２０がその中央部を、とくに図７に示したように、取付ネジ１８で固定される構成である。このヒンジケース１４は、とくに図１と図２に示したように、第１筐体２と第２筐体３に設けた収容凹部２ｂと３ｂ内に収容されている。
【００２７】
本発明に係る制振手段６は、第１ヒンジシャフト１０側の第１制振手段７と、第２ヒンジシャフト１２側の第２制振手段８とから成る。
【００２８】
第１制振手段７は、第１ヒンジシャフト１０の取付軸部１０ａと第１取付プレート１１との間に設けられた帯状の弾性部材から成る第１Ａ制振部材７ａと、この第１Ａ制振部材７ａを介して第１取付プレート１１を取付軸部１０ａに取り付ける取付ピン１０ｇ、１０ｇ・・と取付軸部１０ａとの間に介在された弾性部材から成るワッシャー形状の第１Ｂ制振部材７ｂと、第１取付プレート１１を第２筐体３へ取り付ける際に、当該第１取付プレート１１と第２筐体３の間に介在された弾性部材から成る変形プレート状の第１Ｃ制振部材７ｃとで構成されている。これらの第１Ａ〜第１Ｃ制振部材７ａ〜７ｃは、合成樹脂、ゴム、板バネ、皿バネ等の弾性を有するもの、粘着性の振動を吸収できる性質を有するものなどを適宜選択することができる。尚、第１Ａ制振部材７ａと第１Ｂ制振部材７ｂには、それぞれ取付ピン１０ｇ、１０ｇを挿通させる挿通孔７ｄ、７ｄ・７ｅ、７ｅが設けられ、第１Ｃ制振部材７ｃには、取付ネジ３ｃ、３ｃ、３ｃを挿通させる挿通孔７ｆ、７ｆ、７ｆが設けられている。また、各挿通孔７ｄ、７ｅ、７ｆの数に限定はない。
【００２９】
第２制振手段８は、第２ヒンジシャフト１２の取付軸部１２ａと第２取付プレート１３との間に設けられた帯状の弾性部材から成る第２Ａ制振部材８ａと、この第２Ａ制振部材８ａを介して第２取付プレート１３を取付軸部１２ａに取り付ける取付ピン１２ｇ、１２ｇと取付軸部１２ａとの間に介在された弾性部材から成るワッシャー形状の第２Ｂ制振部材８ｂと、第２取付プレート１３を第１筐体２へ取り付ける際に、当該第２取付プレート１３と第１筐体２の間に介在された弾性部材から成る矩形プレート状の第２Ｃ制振部材８ｃとで構成されている。尚、第２Ａ制振部材８ａと第２Ｂ制振部材８ｂには、それぞれ取付ピン１２ｇ、１２ｇを挿通させる挿通孔８ｄ、８ｄ・８ｅ、８ｅが設けられ、第２Ｃ制振部材８ｃには、取付ネジ２ｃ、２ｃを挿通させる挿通孔８ｆ、８ｆが設けられている。また、各挿通孔８ｄ、８ｅ、８ｆの数に限定はない。以上の第２Ａ〜第２Ｃ制振部材８ａ〜８ｃは、第１Ａ制振部材〜第１Ｃ制振部材７ａ〜７ｃと同じように、合成樹脂、ゴム、板バネ、皿バネ等の弾性を有するもの、粘着性の振動を吸収できる性質を有するものなどを適宜選択することができる。
【００３０】
次に、回転制御手段の一つを構成する選択的回転規制手段１５について説明する。この選択的回転規制手段１５は、連結部材２０とロック部材２１とスライドガイド部材２２と一対の第１ロックカム部材２３及び第２ロックカム部材２４とから構成されている。連結部材２０は上部と下部の略円盤形状を呈した第１軸受部２０ａ及び第２軸受部２０ｂと、この第１及び第２軸受部２０ａ、２０ｂ間をつなぐ連結部２０ｃとを有する側面略瓢箪形状のもので、第１軸受部２０ａ及び第２軸受部２０ｂには、それぞれ断面円形状の第１軸受孔２０ｋ及び第２軸受孔２０ｍが設けられ、この第１軸受孔２０ｋ及び第２軸受孔２０ｍに第１ヒンジシャフト１０と第２ヒンジシャフト１２のそれぞれの第２変形軸部１０ｆ、１２ｆを挿通させて回転自在に軸受する構成である。連結部２０ｃには、雌ネジ部２０ｅを設けた突起部２０ｄが設けられ、この突起部２０ｄは、上述したように取付ネジ１８によって、ヒンジケース１４の隔壁１４ａへ取り付けられる構成である。また、連結部２０ｃは、上部側と下部側に第１カム凸部２１ａと第２カム凸部２１ｂを設けたロック部材２１の係合用溝部２１ｃ内に嵌入され、ロック部材２１の上下方向のスライド動作を許容している。
【００３１】
スライドガイド部材２２は、連結部材２０と同じように、上部と下部に略円盤形状を呈した第１軸受部２２ａと第２軸受部２２ｂと、この第１軸受部２０ａ及び第２軸受部２０ｂ間をつなぐ連結部２２ｃを有する瓢箪形状のもので、第１軸受部２２ａと第２軸受部２２ｂには、第１軸受孔２２ｄ及び第２軸受孔２２ｅが設けられ、これらの第１軸受孔２２ｄと第２軸受孔２２ｅに第１ヒンジシャフト１０と第２ヒンジシャフト１２の第１変形軸部１０ｅと１２ｅが回転可能に挿通されて回転可能に軸受される構成である。連結部２２ｃは、ロック部材２１のもう一方の係合用溝部２１ｄ内に嵌入され、ロック部材２１の上下方向のスライド動作を許容している。第１軸受部２２ａと第２軸受部２２ｂには、第１軸受孔２２ｄと第２軸受孔２２ｅの周囲を削除することにより第１ストッパー部２２ｆと第２ストッパー部２２ｇが設けられている。
【００３２】
そして、ロックカム部材は上下一対のもので、上側の第１ロックカム部材２３と下側の第２ロックカム部材２４には、それぞれ変形挿通孔２３ａ、２４ａが設けられ、この変形挿通孔２３ａ、２４ａへ第１ヒンジシャフト１０と第２ヒンジシャフト１２の各第１変形軸部１０ｅ、１２ｅが挿通係合されることにより、この第１ロックカム部材２３と第２ロックカム部材２４は、第１ヒンジシャフト１０と第２ヒンジシャフト１２にそれぞれ回転を拘束されて取り付けられている。この第１ロックカム部材２３と第２ロックカム部材２４は、それぞれ外周に軸方向両端部に達する第１カム凹部２３ｂと第２カム凹部２４ｂが設けられていると共に、組み立てた際にスライドガイド部材２２側に位置する側には、その回転角度によって、スライドガイド部材２２に設けた第１ストッパー部２２ｆと第２ストッパー部２２ｇとに当接する第１ストッパー片２３ｃと第２ストッパー片２４ｃが設けられている。そして、その第１ロックカム部材２３と第２ロックカム部材２４は、連結部材２０とスライドガイド部材２２の間に挟まれると共に、ロック部材２１を挟んでその上部側と下部側に位置しており、それぞれの第１カム凹部２３ｂと第２カム凹部２４ｂは、ロック部材２１の第１カム凸部２１ａと第２カム凸部２１ｂとその回転角度により対向して嵌合する構成である。
【００３３】
次に、回転制御手段の一つを構成するフリクショントルク発生手段について説明する。このフリクショントルク発生手段１６は、第１ヒンジシャフト１０側の第１フリクショントルク発生手段１６ａと、第２ヒンジシャフト１２側の第２フリクショントルク発生手段１６ｂから成るが、ここではまとめて説明する。このフリクショントルク発生手段１６は、上部と下部に第１ヒンジシャフト１０と第２ヒンジシャフト１２の各々の第１変形軸部１０ｅ、１２ｅを回転可能に挿通させた第１軸受孔２５ａと第２軸受孔２５ｂを有しているところの、スライドガイド部材２２とフランジ部１０ｄ、１２ｄの間に設けられたフリクションプレート２５と、外周にフランジ部１０ｄ、１２ｄに設けた係合凹部１０ｃ、１２ｃと係合する係止片２６ｂ、２７ｂを有し、その軸心部軸方向に設けた変形係合孔２６ａと２７ａへ第１ヒンジシャフト１０と第２ヒンジシャフト１２の各第１変形軸部１０ｅ、１２ｅを回転可能に挿通係合させて、フランジ部１０ｄ、１２ｄとフリクションプレート２５との間に介在させた第１Ａフリクションワッシャー２６と第１Ｂフリクションワッシャー２７と、中心部軸方向に第１ヒンジシャフト１０及び第２ヒンジシャフト１２の各第１変形軸部１０ｅ、１２ｅを挿通係合させた変形挿通孔２８ａ、２９ａを有し、フリクションプレート２５とスライドガイド部材２２との間に介在された第２Ａフリクションワッシャー２８及び第２Ｂフリクションワッシャー２９と、スライドガイド部材２２を介してフリクションプレート２５へ第１Ａフリクションワッシャー２６及び第１Ｂフリクションワッシャー２７と第２Ａフリクションワッシャー２８及び第２Ｂフリクションワッシャー２９を圧接させる後述する第１弾性手段３２と第２弾性手段３３とで構成されている。
【００３４】
次に、同じく回転制御手段の一つを構成する吸い込み手段１７は、上側の第１ヒンジシャフト１０側の第１吸い込み手段１７ａと、下側の第２ヒンジシャフト１２側の第２吸い込み手段１７ｂとから成るが、ここではまとめて説明する。この吸い込み手段１７は、その中心部軸方向に設けた変形挿通孔３０ａ、３１ａへ第１ヒンジシャフト１０と第２ヒンジシャフト１２の第２変形軸部１０ｆ、１２ｆを挿通係合させると共に、その側面の外側と内側に設けた大小の第１Ａ湾曲カム凸部３０ｂ及び第１Ｂ湾曲カム凸部３０ｃと第２Ａ湾曲カム凸部３１ｂ及び第２Ｂ湾曲カム凸部３１ｃを、連結部材２０の各第１及び第２軸受部２０ａ、２０ｂの側面部の外側と内側に設けた大小の第１Ａ湾曲カム凹部２０ｆ及び第１Ｂ湾曲カム凹部２０ｇと第２Ａ湾曲カム凹部２０ｈ及び第２Ｂ湾曲カム凹部２０ｉと対向させて設けられた第１カムフォロワー３０及び第２カムフォロワー３１と、この第１カムフォロワー３０と第２カムフォロワー３１に接してその中心部軸方向に設けた挿通孔３２ｂ、３３ｂへ第１ヒンジシャフト１０と第２ヒンジシャフト１２の各第２変形軸部１０ｆ、１２ｆを挿通させて設けた複数の皿バネ３２ａ、３２ａ・・・・３３ａ、３３ａ・・・・からなる第１弾性手段３２及び第２弾性手段３３と、この第１弾性手段３２と第２弾性手段３３に接してその中心部軸方向に設けた変形挿通孔３４ａ、３５ａに第１ヒンジシャフト１０と第２ヒンジシャフト１２の第２変形軸部１０ｆと第２変形軸部１２ｆを挿通係合させて設けた第１押えワッシャー３４と第２押えワッシャー３５と、第１ヒンジシャフト１０と第２ヒンジシャフト１２の各第２変形軸部１０ｆ、１２ｆの自由端部側に設けた第１雄ネジ部１０ｈと第２雄ネジ部１２ｈに捻子着させた第１締付ナット３６と第２締付ナット３７とで構成されている。
【００３５】
そして、同じく回転制御手段の一つを構成するストッパー手段１９も、第１ヒンジシャフト１０側の第１ストッパー手段１９ａと、第２ヒンジシャフト１２側の第２ストッパー手段１９ｂとから成るが、ここではまとめて説明する。このストッパー手段１９は、第１ロックカム部材２３及び第２ロックカム部材２４に設けた第１ストッパー片２３ｃ及び第２ストッパー片２４ｃと、スライドガイド部材２２の第１軸受部２２ａ及び第２軸受部２２ｂに設けた第１ストッパー部２２ｆ及び第２ストッパー部２２ｇとで構成されており、第１筐体２と第２筐体３の閉成状態の位置と全開成状態（共に１８０度）の位置を規制するものである。
【００３６】
次に、上記した本発明に係るヒンジ装置４の動作について以下に説明する。まず、第１筐体２と第２筐体３が閉じられた図１の(ｂ)に示した状態においては、図３と図１５に示したように、各第１取付プレート１１と第２取付プレート１３は同一方向を向いており、図１５に示したように、第１ロックカム部材２３の第１カム凹部２３ｂは上側に位置し、その外周がロック部材２１の第１カム凸部２１ａと当接し、第２ロックカム部材２４の第２カム凹部２４ｂがロック部材２１の第２カム凸部２１ｂと嵌合状態にあるので、この第１筐体２と第２筐体３の閉成状態においては、第１ヒンジシャフト１０は回転可能であるが、第２ヒンジシャフト１２は回転させることができないことになる。したがって、第１筐体２と第２筐体３の閉成状態においては、選択的回転規制手段１５により第２筐体３のみが第１筐体２に対して開閉することが可能である。
【００３７】
そこで、第２筐体３を第１筐体２に対して開くと、第１ヒンジシャフト１０が共に回転し、ロック部材２１の上側の第１カム凸部２１ａが第１ロックカム部材２３の外周に当接しつつ開かれることになるので、この第２筐体３の開閉操作時には、選択的回転規制手段１５により、第１筐体２を第２ヒンジシャフト１２と共に回転させることはできない。続いて第２筐体３を第１筐体２に対して開いて行くと、最初は第１吸い込み手段１７ａの第１カムフォロワー３０の第１Ａ湾曲カム凸部３０ｂ及び第１Ｂ湾曲カム凸部３０ｃが連結部材２０に設けた第１Ａ湾曲カム凹部２０ｆ及び第１Ｂ湾曲カム凹部２０ｇを脱する際の抵抗に遭遇するが、第１Ａ湾曲カム凸部３０ｂと第１Ｂ湾曲カム凸部３０ｃが第１Ａ湾曲カム凹部２０ｆと第１Ｂ湾曲カム凹部２０ｇを脱出することによって、第２筐体３は第１筐体２に対して開かれ、その際に、第１フリクショントルク発生手段１６ａの上部の第１Ａフリクションワッシャー２６と、同じく上部の第２Ａフリクションワッシャー２８とフリクションプレート２５との間にフリクショントルクが発生することから、第２筐体３は第１筐体２に対してフリーストップに開かれ、任意の開閉角度で第２筐体３を第１筐体２に対して停止保持させることが可能となるものである。
【００３８】
このようにして、第２筐体３を第１筐体２に対してフリーストップに開いて行くと、１８０度開いたところで、図１６に示したことから解るように、第１ストッパー手段１９ａの第１ロックカム部材２３の第１ストッパー片２３ｃがスライドガイド部材２２の第１ストッパー部２２ｆに当接することにより、第１ヒンジシャフト１０の回転は規制されるので、第２筐体３は第１筐体２に対して１８０度開かれたところで停止する。すると、同時に第１ロックカム部材２３の第１カム凹部２３ｂが、図１６に示したように、１８０度回転してロック部材２１の第１カム凸部２１ａの位置に来て、両者の間に間隙ａが生じるので、第１筐体２の回転（開閉）が許容される状態となる。
【００３９】
尚、第２筐体３の第１筐体２に対する１８０度の開成位置から、閉じようとすれば、それは問題なく閉じられる。即ち、第２筐体３を第１筐体２に対して閉じ方向へ回転させると、第１ヒンジシャフト１０と共に回転する第１ロックカム部材２３の第１カム凹部２３ｂとロック部材２１の第１カム凸部２１ａとの間には間隙ａが存在するので、第２筐体３は第１筐体２に対して閉じることが可能である。一度第２筐体３を第１筐体２に対して閉方向へ回転させると、その外周が第１カム凸部２１ａと当接することになるので、ロック部材２１の第２カム凸部２１ｂは第２ヒンジシャフト１２に固定させた第２ロックカム部材２４の第２カム凹部２４ｂと嵌合状態のままとなり、この第２筐体３の閉成操作時においても、第１筐体２の回動動作は規制される。
【００４０】
このように第２筐体３は第１筐体２に対して０度から１８０度の間で自由に開閉でき、その間、選択的回転規制手段１５により、第１筐体２の回転は規制されたままである。
【００４１】
次に、第１筐体２は、図１(ｂ)に示したような第２筐体３との間の閉成状態のときには、上記したように第１ロックカム部材２３の外周が、ロック部材２１の第１カム凸部２１ａと当接しているため、開閉操作を行うことはできないが、第２筐体３を１８０度開いた後は、開かれた第２筐体３とは逆方向に回転して１８０度まで回転することが可能となる。即ち、第２筐体３を１８０度回転させると、図１６に示したように、第１ロックカム部材２３の第１カム凹部２３ｂが、１８０度回転してロック部材２１の第１カム凸部２１ａと対向しており、両者の間には間隙ａが生じているので、第２ヒンジシャフト１２に回転を規制して取り付けられている第２ロックカム部材２４の回転が可能となり、第１筐体２が回転すると、当該第２ロックカム部材２４の外周がロック部材２１の第２カム凸部２１ｂと当接することになるので、第２筐体３の閉成操作はできなくなる。
【００４２】
そこで、第１筐体２を第２筐体３に対して第２筐体３のときとは反対方向へ回転させると、第２ヒンジシャフト１２が共に回転し、ロック部材２１の下側の第２カム凸部２１ｂが第２ロックカム部材２４の外周に当接しつつ開かれることになるので、選択的回転規制手段１５により、第２筐体３は閉方向へ回転させることができなくなる。第１筐体２を第２筐体３に対して回転させて行くと、最初は第２吸い込み手段１７ｂの第２カムフォロワー３１の第２Ａ湾曲カム凸部３１ｂと第２Ｂ湾曲カム凸部３１ｃが、連結部材２０に設けた第２Ａ湾曲カム凹部２０ｈと第２Ｂ湾曲カム凹部２０ｉを脱する際の抵抗に遭遇するが、第２カムフォロワー３１の第２Ａ湾曲カム凸部３１ｂと第２Ｂ湾曲カム凸部３１ｃが第２Ａ湾曲カム凹部２０ｈと第２Ｂ湾曲カム凹部２０ｉを脱出することによって、第１筐体２は第２筐体３に対して回転し、その際に、第２フリクショントルク発生手段１６ｂの下部の第２Ｂフリクションワッシャー２９及び同じく下部の第１Ｂフリクションワッシャー２７とフリクションプレート２５との間にフリクショントルクが発生することから、第１筐体２は第２筐体３に対してフリーストップに回転し、任意の回転（開閉）角度で第１筐体２を第２筐体３に対して停止保持させることが可能となるものである。
【００４３】
このようにして、第１筐体２を第２筐体３に対して第２筐体３の開成方向とは反対の方向へフリーストップに回転させて行くと、１８０度回転させたところで、図１７に示したことから解るように、第２ストッパー手段１９ｂを構成する第２ロックカム部材２４の第２ストッパー片２４ｃが、スライドガイド部材２２の第２ストッパー部２２ｇに当接することにより、第２ヒンジシャフト１２の回転は規制されるので、第１筐体２は第２筐体３に対して１８０度開かれたところで停止する。この状態が、ちょうど第１筐体２と第２筐体３が互いに重なり合った状態である。
【００４４】
尚、第１筐体２を第２筐体３に対する１８０度の開成位置より、元位置に戻そうとすれば、それは問題なく戻せる。即ち、図１７に示した状態より、第１筐体２を第２筐体３に対して閉じ方向へ回転させると、第２ヒンジシャフト１２と共に回転する第２ロックカム部材２４の外周は、ロック部材２１の第２カム凸部２１ｂと当接した状態にあり、ロック部材２１の第１カム凸部２１ａは第１ヒンジシャフト１０に固定させた第１ロックカム部材２３の第１カム凹部２３ｂと嵌合状態のままであるので、第１筐体２を元位置の方向へ回転させることが可能となる。この際には、第２筐体３は、第１ヒンジシャフト１０に固定させた第１ロックカム部材２３の第１カム凹部２３ｂが、ロック部材２１の第１カム凸部２１ａと嵌合状態のままであるので、第２筐体３の開閉操作は規制されたままである。
【００４５】
このように第１筐体２は、第２筐体３が１８０度開かれた状態においては、第２筐体３に対して０度から１８０度の間で自由に回転させることができ、その間、第２筐体３の開閉操作は選択的回転規制手段１５により規制されたままである。以上の説明から明らかなように、第２筐体３と第１筐体２は、選択的回転規制手段１５により選択的に開閉され、一方の開閉操作時には他方の開閉操作は規制される。
【００４６】
そして、第２筐体３を第１筐体２に対して開き、１８０度までの所定の開成角度で第２筐体３のディスプレイ部３ａに対して手指でタッチ操作する場合、或は第２筐体３を第１筐体２に対して１８０度開いた状態の後、さらに第１筐体２を第２筐体３に対して１８０度反対方向へ開いて行く途中の開成角度において、第２筐体３のディスプレイ部３ａに対し同じく手指でタッチ操作する場合には、その際にディスプレイ部３ａに生じる振動は、制振手段６を構成する第１制振手段７と第２制振手段８によって抑えられるので、画面が視認しにくかったり、操作者にそのことによる疲労感を与えたりするのを防止できるという効果を奏し得る。
【００４７】
制振手段６は、上述した構成の第１制振手段７と第２制振手段８で構成することが最も望ましいが、第１制振手段７と第２制振手段８のどちらか一方のみを採用することも可能である。また、第１制振手段７の第１Ａ制振部材７ａ、第１Ｂ制振部材７ｂ、及び第１Ｃ制振部材７ｃの一部、或は第２制振手段８の第２Ａ制振部材８ａ、第２Ｂ制振部材８ｂ、及び第２Ｃ制振部材８ｃの一部は、必要に応じて省略することも可能である。
【００４８】
よって、以上の説明から明らかなように、本願発明に係るヒンジ装置４は、第１筐体２と第２筐体３をそれぞれ第１ヒンジシャフト１０と第２ヒンジシャフト１２を介して交互に１８０度ずつ回転させて合計で３６０度の開閉操作を可能としたものであるが、その開閉角度にとくに限定はない。
【００４９】
そして、ノートパソコンをそれ本来の用い方で用いることができた上で、第１筐体を第２筐体に対して同一方向に折り曲げて、略Ｌ時形状にしたり、山形状にしたり、重ね合わせて平板状としたりして、第２筐体を操作者側に向けてタブレットとして種々多様な用い方をすることができるものである。
【００５０】
以上の説明から明らかなように、本発明は以上説明したもの以外に、例えば、第１及び第２弾性手段３２、３３をフリクショントルク発生手段１６と吸い込み手段１７の両機構に作用せしめることが可能となったので、効率の良いものとなっており、かつ、ロック部材２１と第１及び第２ロックカム部材２３、２４をその外形を用いたり、吸い込み手段１７のカム形状を任意に変えることが容易となって、カム特性の設計が容易となったため、第２筐体３の第１筐体２に対する開成角度を特定の角度においてふらつきの生じないようにしたり、特定の開成角度において吸い込み機能をもたせることもできるものである。
【００５１】
尚、その他の実施例としては、連結部材２０に設ける各第１Ａ湾曲カム凹部２０ｆ及び第１Ｂ湾曲カム凹部２０ｇと第２Ａ湾曲カム凹部２０ｈ及び第２Ｂ湾曲カム凹部２０ｉと、第１カムフォロアー３０や第２カムフォロアー３１に設ける第１Ａ湾曲カム凸部３０ｂ及び第１Ｂ湾曲カム凸部３０ｃと第２Ａ湾曲カム凸部３１ｂ及び第２Ｂ湾曲カム凸部３１ｃは、これらを連結部材２０と第１及び第２ロックカム部材２３、２４の軸心部から外周へ放射状に設けたカム凸部とカム凹部に変えることは可能である。また、複数の皿バネ３２ａや３３ａから成る第１及び第２弾性手段３２、３３は、これをスプリングワッシャー、圧縮コイルスプリング、弾性を備えたゴムを始とする合成樹脂製のものなどに代えることができ、第１及び第２締付ナット３６、３７は、第１ヒンジシャフト１０と第２ヒンジシャフト１２の端部をかしめることによって代えることが可能である。さらに、各第１カム凹部２３ｂ及び第２カム凹部２４ｂの設置位置を変えることにより、第１筐体２が第２筐体３より先に開閉することができるように構成することも可能である。また、ヒンジケース１４は、これがなくともとくにヒンジ装置４、５の機能に支障は生じないが、このヒンジケース１４があると、ヒンジ装置４を情報端末１へ取り付けた際に選択的回転規制手段１５や、フリクショントルク発生手段１６、吸い込み手段１７等が外部へ露出することがないので、外観上すっきりとしたものになるという利点がある。
【産業上の利用可能性】
【００５２】
本発明は以上のように構成したので、とくにノートパソコンのような情報端末やその他のもので、ディスプレイ部に対してタッチ操作できるように構成したものにおいては、第２筐体に設けたディスプレイ部に対しタッチ操作しても、振動を抑えられることから、画面が見易く、かつそのために目が疲れるといったことを有効に防止できるので、とくにノートパソコンを同時にタブレットとしても用いるものに用いて好適である。
【符号の説明】
【００５３】
１  ノートパソコン
２  第１筐体
３  第２筐体
４  ヒンジ装置
５  ヒンジ装置
７  第１制振手段
７ａ  第１Ａ制振部材
７ｂ  第１Ｂ制振部材
７ｃ  第１Ｃ制振部材
８  第２制振手段
８ａ  第２Ａ制振部材
８ｂ  第２Ｂ制振部材
８ｃ  第２Ｃ制振部材
１０  第１ヒンジシャフト
１０ａ、１２ａ  取付軸部
１０ｇ、１２ｇ  取付ピン
１１  第１取付プレート
１２  第２ヒンジシャフト
１３  第２取付プレート
１５  選択的回転規制手段
１６  フリクショントルク発生手段
１７  吸い込み手段
１９  ストッパー手段
２０  連結部材
３２  第１弾性手段
３３  第２弾性手段
【図１】
2015203424.tif 000003
【図２】
2015203424.tif 000004
【図３】
2015203424.tif 000005
【図４】
2015203424.tif 000006
【図５】
2015203424.tif 000007
【図６】
2015203424.tif 000008
【図７】
2015203424.tif 000009
【図８】
2015203424.tif 000010
【図９】
2015203424.tif 000011
【図１０】
2015203424.tif 000012
【図１１】
2015203424.tif 000013
【図１２】
2015203424.tif 000014
【図１３】
2015203424.tif 000015
【図１４】
2015203424.tif 000016
【図１５】
2015203424.tif 000017
【図１６】
2015203424.tif 000018
【図１７】
2015203424.tif 000019